(57)【要約】【課題】    本出願人が取得する特許では、所定（設計数値）以上の荷重が掛ると、取付具のボルトが破損することがある。ボルトの破損時に困るのが、取付台の螺孔内での破損である。この螺孔内での破損螺軸（螺子部）を離脱しない限り、新しいボルトの螺着ができない。これは大変であり、改良すべき問題点と考えられる。【解決手段】    本発明は、消火栓のケーシングに、消火栓標識を取付ける消火栓標識用のポール取付具で、ケーシングの外周面に付設した取付台と、取付台と取付具の支持片の板材との間に設けた円錐台形状のスペーサと、スペーサ・取付具を、取付台に固定する止め具とでなる消火栓標識用のポール取付具。ボルトの破損個所が、螺孔外で発生する手段（スペーサ）を提案し、併せて、従来発生する、ボルトの破損螺軸の螺孔内での発生を無くし得る。【選択図】      図１−１
2019023386.tif 000002
【特許請求の範囲】
【請求項１】
消火栓のケーシングに、消火栓標識を取付ける消火栓標識用のポール取付具において、
前記ケーシングの取付台、又はこのケーシングの周面の何れかに取付ける取付具と、この取付具で消火栓標識のポールを支持するとともに、当該取付具の支持片と、前記取付台、又は前記ケーシングの周面との間にスペーサを介設することを特徴とした消火栓標識用のポール取付具。
【請求項２】
前記取付具の止め具を、前記ケーシングの螺孔に螺合した状態で、前記支持片の第１支持片、及び第２支持片を、前記ポールに抱持、かつ支持するとともに、前記スペーサを支持し、併せて、前記止め具を前記ポールの貫通孔に貫設することを特徴とした請求項１に記載の消火栓標識用のポール取付具。
【請求項３】
前記消火栓標識用のポール取付具は、
前記ケーシングの取付台、又は周面に取付けた第１、又は第２支持片の半月形状の一方板材と、この各一方板材に設けた各第１貫通孔と、この各第１貫通孔に連通する前記各取付台、又は前記周面に開設した螺孔と、
前記第１、又は第２支持片の一方板材と対峙する、第１、又は第２支持片の、半月形状の他方板材と、この第１、又は第２支持片の他方板材に設けた各第２貫通孔と、
前記ポールに開設した第３・第４貫通孔と、前記第１・第２貫通孔とに螺着される前記止め具と、で構成し、
前記一方板材と前記他方板材との空間に、前記消火栓標識を支持する前記ポールを挿入することを特徴とした請求項１に記載の消火栓標識用のポール取付具。
【請求項４】
前記スペーサは、前記止め具が貫通する第５螺孔と、この第５螺孔の両端開口部に、面取り加工することを特徴とした請求項１に記載の消火栓標識用のポール取付具。
【請求項５】
前記スペーサは、底面と上面とでなる裁頭円錐形状、又は裁頭角錐形状で、この底面は、前記取付台、又はケーシングに接し、また、この上面に、前記第１・第２支持片の一方板材が、それぞれ接したことを特徴とした請求項１に記載の消火栓標識用のポール取付具。
【請求項６】
前記スペーサは、左右面でなる円柱形状、又は角柱形状で、この右面は、前記取付台、又は前記ケーシングに接し、また、この左面に、前記第１・第２支持片の一方板材が、それぞれ接したことを特徴とした請求項１に記載の消火栓標識用のポール取付具。
【請求項７】
前記止め具は、両端に螺子部を備えたスタッドボルトと、一方の螺子部に螺着されるナットとでなることを特徴とした請求項１、又は請求項２に記載の消火栓標識用のポール取付具。
【請求項８】
前記止め具は、一端に螺子部を備えたナット付きボルトであることを特徴とした請求項１、又は請求項２に記載の消火栓標識用のポール取付具。
【発明の詳細な説明】
【技術分野】
【０００１】
本発明は、地上式の消火栓に標識を取付けるための消火栓標識用のポール取付具に関する。
【背景技術】
【０００２】
本出願人が提示した特開平１０−１７６３４９号公報（文献（１））に記載の如く、降雪地帯で、消火栓が埋没する際の非常用として、消火栓位置表示標識がある。そして、一般的な装置として、消火栓本体とか、消火栓のケーシングにバンド（環状帯体）を捲装して取付ける簡易な構造が知られている。しかし、この簡易な構造では、積雪時には積雪の粘性等により消火栓標識のポールに加わる荷重に耐えられない状況が生じて、改良が望まれている。また、幼児、泥酔者、場合により、悪戯等が要因で、例えば、消火栓標識のポールを引っ張る等の所作があって、ポールが損傷することが有った。その改良として、本出願人が提示した特許第３８５０４１１号公報（文献（２））に記載の発明がある。
【０００３】
（文献（２））は、従来の荷重に対応できる優れた発明である。しかし、所定（設計数値）以上の荷重が掛ると、取付具の中で、荷重が掛かるボルトが破損することが多いのが現況である。このボルトの破損時に困るのが、取付台の螺孔内での破損である。この螺孔内での破損螺軸（螺子部）を離脱しない限り、新しいボルトの螺着ができない。これは大変であり、改良すべき問題点と考えられる。
【先行技術文献】
【特許文献】
【０００４】
【特許文献１】特開平１０−１７６３４９号公報
【特許文献２】特許第３８５０４１１号公報
【発明の概要】
【発明が解決しようとする課題】
【０００５】
本発明は、前述した、ボルトの破損に関する取扱い、即ち、破損螺軸の取外しと、新しいボルトの取付けを可能とした消火栓標識用のポール取付具（スペーサの発明）に関する。
【課題を解決するための手段】
【０００６】
本発明は、ボルトの破損螺軸の取外し（ボルトの破損個所が、螺孔外で発生する手段により、従来の取外しの困難性を失くすこと）と、新しいボルトの取付けを可能とした消火栓標識用のポール取付具（スペーサの発明）を開示するために、請求項１〜８を提案する。
【発明の効果】
【０００７】
請求項１の発明は、消火栓のケーシングに、消火栓標識を取付ける消火栓標識用のポール取付具において、
ケーシングの取付台、又はケーシングの周面の何れかに取付ける取付具と、取付具で消火栓標識のポールを支持するとともに、取付具の支持片と、取付台、又はケーシングの周面との間にスペーサを介設する消火栓標識用のポール取付具である。
【０００８】
従って、請求項１では、ボルトの破損個所が、螺孔外で発生する手段（スペーサ）を提案し、併せて、従来発生する、ボルトの破損の螺孔内での発生を無くし得る特徴がある。また、従来の取外しの困難性を失くし、新しいボルトの取付けを可能とした消火栓標識用のポール取付具のスペーサを提案できる特徴がある。殊に、本発明の意図である荷重が掛る箇所を、取付台から離れた、例えば、スペーサとポールの接触部にすることで、スペーサをはずせば折れたボルトを取り除くことができる特徴がある。
【０００９】
請求項２の発明は、取付具の止め具を、ケーシングの螺孔に螺合した状態で、支持片の第１支持片、及び第２支持片を、ポールに抱持、かつ支持するとともに、スペーサを支持し、併せて、止め具を前記ポールの貫通孔に貫設する消火栓標識用のポール取付具である。
【００１０】
従って、請求項２は、請求項１と同じ特徴がある。
【００１１】
請求項３の発明は、消火栓標識用のポール取付具は、
ケーシングの外周面に、一つか、複数個設けられた各取付台と、
ケーシングの取付台、又は周面に取付けた第１、又は第２支持片の半月形状の一方板材と、各一方板材に設けた各第１貫通孔と、各第１貫通孔に連通するケーシングの取付台、又は周面に開設した螺孔と、
第１、又は第２支持片の一方板材と対峙する、第１、又は第２支持片の半月形状の他方板材と、第１、又は第２支持片の他方板材に設けた各第２貫通孔と、
ポールに開設した第３・第４貫通孔と、第１・第２貫通孔とに螺着される止め具と、で構成し、消火栓標識用のポール取付具である。
【００１２】
従って、請求項３では、消火栓標識用のポール取付具のスペーサを提案し、このスペーサの特徴が発揮できる消火栓標識用のポール取付具の構造を提案できる特徴がある。
【００１３】
請求項４の発明は、スペーサは、止め具が貫通する第５螺孔と、第５螺孔の両端開口部に、面取り加工する消火栓標識用のポール取付具である。
【００１４】
従って、請求項４では、消火栓標識用のポール取付具のスペーサを提案し、請求項１の目的達成に最適なスペーサの構造を提案できる特徴がある。
【００１５】
請求項５の発明では、スペーサは、底面と上面とでなる裁頭円錐形状、又は裁頭角錐形状で、底面は、取付台、又はケーシングに接し、また、上面に、第１・第２支持片の一方板材が、それぞれ接する消火栓標識用のポール取付具である。
【００１６】
従って、請求項５では、消火栓標識用のポール取付具のスペーサを提案し、請求項１〜３の目的達成に最適なスペーサの構造を提案できる特徴がある。
【００１７】
請求項６の発明では、スペーサは、左右面でなる円柱形状、又は角柱形状で、右面は、取付台、又はケーシングに接し、また、左面に、第１・第２支持片の一方板材が、それぞれ接する消火栓標識用のポール取付具である。
【００１８】
従って、請求項６では、消火栓標識用のポール取付具のスペーサを提案し、請求項１〜３の目的達成に、役立ち、かつ実用に供するスペーサの構造を提案できる特徴がある。
【００１９】
請求項７の発明では、止め具は、両端に螺子部を備えたスタッドボルトと、一方の螺子部に螺着されるナットとでなる消火栓標識用のポール取付具である。
【００２０】
従って、請求項７では、消火栓標識用のポール取付具の止め具であって、取付台に、スペーサと、支持片とを固定し、併せてポールを固定するに、最適で、かつ実用に供する構造であって、かつ経済性に優れた構造を提供できる特徴がある。
【００２１】
請求項８の発明は、止め具は、一端に螺子部を備えたナット付きボルトである消火栓標識用のポール取付具である。
【００２２】
従って、請求項８では、消火栓標識用のポール取付具の止め具であって、取付台に、スペーサと、第１・第２支持片とを固定し、併せてポールを固定するに、最適で、かつ実用に供する構造であって、かつ経済性に優れた構造を提供できる特徴がある。
【図面の簡単な説明】
【００２３】
【図１−１】本発明の第１実施例の地上式消火栓を正面視した外観模式図
【図１−２】本発明の第２実施例の地上式消火栓を正面視した外観模式図
【図２】本発明の消火栓標識取付具の要部の詳細な構成を示す模式図、（ａ）は図１を側面視した状態を示す拡大外観模式図、（ｂ）は、（ａ）のＡ−Ａ線の端面模式図
【図３−１】本発明の第１実施例の裁頭円錐形状のスペーサを示した拡大して示す図、（ａ）は正面図、（ｂ）は一部欠截の側面図
【図３−２】本発明の第２実施例の円柱形状のスペーサを示した拡大して示す図、（ａ）は正面図、（ｂ）は一部欠截の側面図
【図３−３】本発明の第１実施例のその他の一例の裁頭円錐形状のスペーサを示した拡大して示す図、（ａ）は正面図、（ｂ）は一部欠截の側面図
【図３−４】本発明の第２実施例のその他の一例の円柱形状のスペーサを示した拡大して示す図、（ａ）は正面図、（ｂ）は一部欠截の側面図
【図４】本発明の第１・第２支持片を拡大して示した平面模式図、（ａ）は第１支持片を、（ｂ）は第２支持片を示す
【図５−１】本発明の取付台に、第１実施例の裁頭円錐形状のスペーサと、ポール、及び、止め具とを、固定する状況の一例を分解（以下同じ）して示した平面模式図
【図５−２】本発明の取付台に、第２実施例の円柱形状のスペーサと、ポール、及び、止め具とを、固定する状況の一例を分解（以下同じ）して示した平面模式図
【図５−３】本発明のケーシングの周面に、第１実施例のその他の裁頭円錐形状のスペーサと、ポール、及び、止め具とを、固定する状況の一例を分解（以下同じ）して示した平面模式図
【図５−４】本発明のケーシングの周面に、第２実施例のその他の柱形状のスペーサと、ポール、及び、止め具とを、固定する状況の一例を分解（以下同じ）して示した平面模式図
【図６】本発明の取付台と第１、及び／又は、第２支持片の一方板材との関係の他の構成例を示す拡大模式図、（ａ）は分解した平面模式図、（ｂ）は取付け状態の模式図
【発明を実施するための形態】
【００２４】
以下、本発明の好ましい、各実施例を、図面を参照して説明する。
【００２５】
図１に示した消火栓においては、主として、鋳造製品で成るケーシング１で、例えば、キャップ１００、弁体１０１、クラッチ１０２ａ、１０２ｂとか、弁棒１０３、リング１０４等を備える。このケーシング１に、取付台２を一体成形で、又は後付等により突設支持されている。図中、３は消火栓標識本体、５は消火栓標識本体３のポールをそれぞれ示している。また、図中、６はケーシング１の取付台２に設けた、ポール５を支持する消火栓標識取付具である。
【００２６】
以下、主要構成部品を、順次、説明する。
【００２７】
取付台２は、ケーシング１を鋳造製品で成形する際には、原則として、一体成形である。しかし、後付けとして、例えば、溶接、ベルト（図示しない）掛けで取付けることも可能であり、ケーシング１への取付けは、限定されない。取付台２は、立方体、円柱体、角柱体等の形態であって、図２（ａ）、（ｂ）とか、参考として、図４（ａ）、（ｂ）等に示した如く、ケーシング１の上下位置で、望ましくは、同じ円周面位置に配される。また、上下側に取付台２は対で設けられているが、一例である。この一例の対の取付台２に関しては、共通の番号、名称とする。そして、この取付台２の自由端（ポール５側）２ａから基端（ケーシング１側）２ｂに向って螺孔２００が開設されている。取付台２の自由端２ａは、各種の形態が可能であり、例えば、図２の（ａ）、（ｂ）は、平面視して、平らな形状を示すが一例であり、その他として、例えば、窪み形状や、曲面形状も可能である。
【００２８】
対の取付具６は、例えば、図１−１の第１実施例において、上側（上方）の第１支持片６００と、下側（下方）の第２支持片６０１とでなり、この第１支持片６００と、第２支持片６０１とは、原則として、同じ構造である。即ち、第１支持片６００は、ケーシング１側に設けた半截環状形態の第１支持片の一方板材６００ａ１と、この第１支持片の一方板材６００ａ１に対峙した、ポール５側に設けた半截環状形態の第１支持片の他方板材６００ａ２と、で構成されている。即ち、この前記第１支持片６００は、第１支持片の一方板材６００ａ１と、第１支持片の他方板材６００ａ２とで構成する。また、第２支持片６０１は、ケーシング１側に設けた半截環状形態の第２支持片の一方板材６０１ａ１と、この第２支持片の一方板材６０１ａ１に対峙した、ポール５側に設けた半截環状形態の第２支持片の他方板材６０１ａ２と、で構成されている。即ち、この前記第２支持片６０１は、第２支持片の一方板材６０１ａ１と、第２支持片の他方板材６０１ａ２とで構成する。尚、前記第１支持片の一方板材６００ａ１と、第１支持片の他方板材６００ａ２には、後述するボルト１０が貫通される、少なくとも、第１貫通孔６００ａ３と、第１貫通孔６００ａ４が、それぞれ開設されている。同様に前記第２支持片の一方板材６０１ａ１と、第２支持片の他方板材６０１ａ２とには、後述するボルト１０が貫通される、少なくとも、第２貫通孔６０１ａ３と、第２貫通孔６０１ａ４が、対峙する関係で、それぞれ開設されている。そして、この第１貫通孔６００ａ３、６００ａ４と、第２貫通孔６０１ａ３、６０１ａ４とは前記第１支持片の一方板材６００ａ１と、第１支持片の他方板材６００ａ２との１／２環状形態の環状中心位置、又は前記第２支持片の一方板材６０１ａ１と、第２支持片の他方板材６０１ａ２との１／２環状形態の環状中心位置に、それぞれ開設することが望ましい。即ち、ポール５を、取付台２の自由端２ａにボルト１０（止め具）により固止する際に、第１貫通孔６００ａ３と、第１貫通孔６００ａ４とが、ボルト１０の軸芯方向に向かって直進方向であることが理想である。第２貫通孔６０１ａ３と、第２貫通孔６０１ａ４とも同じ考えとする。尚、図１−２は、第２実施例であり、取付台２を使用せず、ケーシング１の周面１ａに、図５−４に示すように、螺孔１０５を陥没して設ける構造であって、螺孔１０５にボルト１０（止め具）の螺子部１０００ａを螺合する。この実施例は、簡易で、かつ低価格の構造である。その他は、前述の図１−１に準ずる。
【００２９】
図２（ａ）、（ｂ）に示した如く、ポール５の上側には、第１支持片６００を添装した際に、第１貫通孔６００ａ３と、第１貫通孔６００ａ４とに合致する位置に第４貫通孔５００ａ、５００ｂが開設されている。同様に、ポール５の下側には、第２支持片６０１を添装した際に、第２貫通孔６０１ａ３と、第２貫通孔６０１ａ４とに合致する位置に第５貫通孔５０１ａ、５０１ｂが開設されている。
【００３０】
図３−１（ａ）、（ｂ）〜図４（ａ）、（ｂ）に示した如く、各実施例では、上側のスペーサ１１と、下側のスペーサ１２があって、その基本的な構造は共通する。そこで、好ましい、一例を説明すると、図３−１（ａ）、（ｂ）に示した、第１実施例では、スペーサ１１・１２は、底面１１００・１２００と上面１１０１・１２０１とでなる裁頭円錐形状（図示しないが、裁頭角錐形状等も可能である）で、底面１１００・１２００は、取付台２に接し、また、上面１１０１・１２０１に、第１支持片の一方板材６００ａ１・第２支持片の一方板材６０１ａ１が、それぞれ接する構造である。また、上面１１０１・１２０１に対して、底面１１００・１２００が広幅である（広い表面を備える）、また上面１１０１・１２０１から底面１１００・１２００に向って、かつセンターにボルト１０が貫通できる上下側の第６貫通孔１１０２、１２０２が開設されている。この上側の第６貫通孔１１０２の上面１１０１側は、前記ポール５の上側に添装した第１貫通孔６００ａ３・６００ａ４と、また、下側の第６貫通孔１２０２の上面１２０１側は、前記ポール５の下側に添装した第２貫通孔６０１ａ３・６０１ａ４と、にそれぞれ連通する（重なり繋がる）関係となっている。また、この上側の第６貫通孔１１０２の底面１１００側は、前記上側の取付台２の螺孔２００と、また、下側の第６貫通孔１２０２の底面１２００側は、前記下側の取付台２の螺孔２００と、にそれぞれ連通する（重なり繋がる）関係となっている。また、図３−２に示した第２実施例では、スペーサ１１、１２は、円柱形状（図示しないが、角柱形状等も可能である）である。その他は、前述の第１実施例の裁頭円錐形状のスペーサ１１、１２に準ずる。
【００３１】
尚、ボルト１０（止め具の一例である）は、図２（ａ）、（ｂ）と図５−１〜図５−４に示したように、両端部に螺子部１０００ａ、１０００ｂを備えたスタッドボルト１０００と、この螺子部１０００ｂに螺合されるナット１００１とでなる。尚、螺子部１０００ａは、取付台２の螺孔２００に螺着される。また、螺子部１０００ｂには、ナット１００１が螺合される。このスタッドボルト１０００は、ボルト１０の一例であり、その他の固定手段、例えば、ボルトのみか、又はボルトとナットとの組合せによる止め具、差込み係合・嵌合、又は圧着による止め具等の手段による構成も採用できる。
【００３２】
ここで、ケーシング１にポール５を立設する方法としては、例えば、図５−１〜図５−４に示したように、ボルト１０の中で、スタッドボルト１０００を採用した例において、説明する。ケーシング１の上下側の取付台２に、第１・第２支持片６００・６０１と、上下一組（対）の第１実施例のスペーサ１１、１２と、対のスタッドボルト１０００でポール５を立設する（組付ける）一例を説明する。この立設する方法は、好ましい一例であって、限定されない。
【００３３】
上側の取付台２の螺孔２００に、上側のスタッドボルト１０００の螺子部１０００ａを螺着する。この螺着したスタッドボルト１０００の軸部１０００ｃに、上側の第１支持片の一方板材６００ａ１の第１貫通孔６００ａ３を差込むことで、スタッドボルト１０００の軸部１０００ｃに、第１支持片の一方板材６００ａ１が支持される。続いて、軸部１０００ｃに、ポール５の第４貫通孔５００ａと、第４貫通孔５００ｂとを差込み、この軸部１０００ｃに、ポール５が支持される。そして、軸部１０００ｃに、上側の第１支持片の他方板材６００ａ２の第１貫通孔６００ａ４を差込むことで、軸部１０００ｃに、第１支持片の他方板材６００ａ２が支持される。即ち、この時点で、ポール５に第１支持片６００（第１支持片の一方板材６００ａ１と、第１支持片の他方板材６００ａ２）が支持される。最後に、螺子部１０００ｂにナット１００１を螺合する。この螺合は、仮締めである。以上の操作により、各部材（第１支持片の一方板材６００ａ１とか、第１支持片の他方板材６００ａ２等）の差込みが終わり、かつ仮締めが終了する。
【００３４】
続いて、下側の取付台２の螺孔２００に、下側のスタッドボルト１０００の螺子部１０００ａを螺着する。この螺着したスタッドボルト１０００の軸部１０００ｃに、下側の第２支持片の一方板材６０１ａ１の第２貫通孔６０１ａ３を差込むことで、スタッドボルト１０００の軸部１０００ｃに、第２支持片の一方板材６０１ａ１が支持される。続いて、軸部１０００ｃに、ポール５の第５貫通孔５０１ａと、第５貫通孔５０１ｂとを差込み、この軸部１０００ｃに、ポール５が支持される。そして、軸部１０００ｃに、下側の第１支持片の他方板材６０１ａ２の第２貫通孔６０１ａ４を差込むことで、軸部１０００ｃに、第２支持片の他方板材６０１ａ２が支持される。即ち、この時点で、ポール５に第２支持片６０１（第２支持片の一方板材６０１ａ１と、第２支持片の他方板材６０１ａ２）が支持される。最後に、螺子部１０００ｂにナット１００１を螺合する。この螺合は、仮締めである。以上の操作により、各部材（第２支持片の一方板材６０１ａ１とか、第２支持片の他方板材６０１ａ２等）の差込みが終わり、かつ仮締めが終了する。
【００３５】
最後に、上下側のナット１００１をそれぞれ最終の緊締をすることで、ケーシング１にポール５が併設して立設される。
【００３６】
尚、ケーシング１にポール５を立設する他の方法としては、図示しないが、ポール５の第４・第５貫通孔５００ａ・ｂ/５０１ａ・ｂに、それぞれスタッドボルト１０００の軸部１０００ｃを差込み、併せて、軸部１０００ｃに、上下側の第１・第２支持片６００・６０１の一方・他方板材６００ａ１・２／６０１ａ１・２の第１・第２貫通孔６００ａ３・４／６０１ａ３・４をそれぞれ差込み、かつポール５の所定箇所（例えば、上下側）の外周面に、上下側の第１・第２支持片６００・６０１を捲装する。そして、スタッドボルト１０００の螺子部１０００ｂにナット１００１を仮締め、又は本締め等する。この操作で、ポール５の上下側に、各スタッドボルト１０００と、各ナット１００１、及び第１・第２支持片６００、６０１が仮止めされる。続いて、対のスタットボルト１０００の一方の螺子部１０００ａを、軸部１０００ｃに、スペーサ１１、１２を取付けた後、対の取付台２の各螺孔２００にそれぞれ螺着固定する。これにより、上下側のナット１００１をそれぞれ最終の緊締をすることで、ケーシング１にポール５が併設して立設される。
【００３７】
尚、図５−２と図５−４は、第２実施例であり、円柱形状のスペーサ１１、１２とスタッドボルト１０００とナット１００１とによる固定である。前述の図５−１と図５−３の第１実施例に準ずる。また、図５−３と図５−４は、取付台２を採用しないで、ケーシング１の周面１ａに、スペーサ１１、１２とスタッドボルト１０００とナット１００１と、第１・第２支持片６００・６０１等による固定である。螺孔１０５を周面１ａに設ける。但し、図示しないが、周壁を内方に延設して取付部（取付台２に準ずる）を形成し、この取付部に螺孔１０５を設けることもあり得る。
【００３８】
その他の取付方法は、例えば、図６（ａ）、（ｂ）に示した、ナット付きボルト１０ａ（ボルト１０の他の例）による方法である。この例では、ボルト１０に関する符号を使用する。このナット付きボルト１０ａの螺子部１０００ａから軸部１０００ｃに向って、第１支持片６００の他方板材６００ａ２の第１貫通孔６００ａ４を被装等して支持する。その後、ボルト１０ａの少なくとも、螺子部１０００ａと、軸部１０００ｃを、ポール５の所定箇所（例えば、上側）の第４貫通孔５００ｂに挿通しつつ、第１支持片６００の外周面に捲装する。その後、螺子部１０００ａと、軸部１０００ｃを、ポール５の所定箇所（例えば、上側）の第４貫通孔５００ａに挿通し、かつこの螺子部１０００ａと、軸部１０００ｃを、第４貫通孔５００ａより突出する。この突出した所に、第１支持片の一方板材６００ａ１の第１貫通孔６００ａ３と、スペーサ１１の第６貫通孔１１０２を差込み、第１支持片の一方板材６００ａ１と、スペーサ１１とを支持する。そして、前記螺子部１０００ａを、取付台２の螺孔２００に螺合することで、ポール５の上側に、第１支持片６００（第１支持片の他方板材６００ａ２と第１支持片の一方板材６００ａ１）が捲装される。
【００３９】
同様にして、ボルト１０ａの螺子部１０００ａと、軸部１０００ｃに、第２支持片６０１の他方板材６０１ａ２の第２貫通孔６０１ａ４を被装等して支持する。その後、ボルト１０ａの少なくとも、螺子部１０００ａと、軸部１０００ｃを、ポール５の所定箇所（例えば、下側）の第５貫通孔５０１ｂに挿通しつつ、第２支持片６０１の外周面に捲装する。その後、螺子部１０００ａと、軸部１０００ｃを、ポール５の所定箇所（例えば、下側）の第５貫通孔５０１ａに挿通し、かつこの螺子部１０００ａと、軸部１０００ｃを、第５貫通孔５０１ａより突出する。この突出した所に、（第２支持片の一方板材６０１ａ１の）第２貫通孔６０１ａ３と、（スペーサ１２の）第６貫通孔１２０２を差込み、第２支持片の一方板材６０１ａ１と、スペーサ１２とを支持する。そして、前記螺子部１０００ａを、取付台２の螺孔２００に螺合することで、ポール５の下側に、第２支持片６０１（第２支持片の他方板材６０１ａ２と第２支持片の一方板材６０１ａ１）が捲装される。
【００４０】
その後、上下側のボルト１０ａの各ナット１００１を、緊締することで、各螺子部１０００ａが、上下側の取付台２の各螺孔２００に、それぞれ螺合し、ケーシング１に、併設するにように、ポール５及び消火栓標識本体３が立設支持される。
【００４１】
本発明の特徴を、再度、説明すると、前述の如く、スペーサ１１、１２は、対のスタッドボルト１０００にそれぞれ組付ける。このスタッドボルト１０００のポール５側に、スペーサ１１、１２の上面１１０１、１２０１（狭い表面積）を位置する構成であり、また、ケーシング１側に、スペーサ１１、１２の底面１１００、１２００（広い表面積）を位置する構成である。これにより、ポール５に掛る衝撃（荷重）は、破断に弱い部位に、即ち、スペーサ１１、１２の上面１１０１、１２０１近傍に掛る蓋然性がある。従って、従来のように、取付台２の近傍に掛ることが少なくなって、螺子部１０００ａの破断が無くなり、破断した螺子部１０００ａを離脱する等の後処理の手間とか、作業とかが無くなり、極めて有効である。尚、前述の如く、スペーサ１１、１２は、円柱形状でも、同じような使用と、特徴等が期待できる。そして、この第２実施例では、スペーサ１１、１２は、左右面１１０１ａ、１１００ａ（上面１１０１と底面１１００に準ずる）、及び１２０１ａ、１２００ａ（上面１２０１と底面１２００に準ずる）とする。また、第２実施例では、左右面１１０１ａ、１１００ａ、及び１２０１ａ、１２００ａと、上面１１０１と底面１１００、及び上面１２０１と底面１２００とは同じである。その他の構造と符号等は、前述の第１実施例に準ずる。なお、図３−３及び図５−３に示すように、周面１ａとスペーサ１１（１２）の底面１１００（１２００）とは同じ形状で添着するように構成するのが望ましいが、これに限定されない。
【００４２】
前述したポール５を立設する各方法は、ケーシング１の上下側に、第１・第２支持片６００・６０１と、上下一組（対）のスペーサ１１、１２と、対の取付台２を用いて、ポール５を支持する（組付ける）一例を説明したが、この取付け方は、好ましい一例であって、限定されない。
【００４３】
以上で説明した各実施例は、好ましい一例を示したものであり、同様な効果と特徴を有する他の構造、手段は、本発明の範疇である。
【符号の説明】
【００４４】
１  ケーシング
１ａ  周面
１００  キャップ
１０１  弁体
１０２ａ  クラッチ
１０２ｂ  クラッチ
１０３  弁棒
１０４  リング
１０５  螺孔
２  取付台
２ａ  自由端
２ｂ  基端
２００  螺孔
３  消火栓標識本体
５  ポール
５００ａ  第４貫通孔
５００ｂ  第４貫通孔
５０１ａ  第５貫通孔
５０１ｂ  第５貫通孔
６  消火栓標識取付具
６００  第１支持片
６００ａ１  第１支持片の一方板材
６００ａ２  第１支持片の他方板材
６００ａ３  第１貫通孔
６００ａ４  第１貫通孔
６０１  第２支持片
６０１ａ１  第２支持片の一方板材
６０１ａ２  第２支持片の他方板材
６０１ａ３  第２貫通孔
６０１ａ４  第２貫通孔
１０  ボルト
１０ａ  ボルト
１０００  スタッドボルト
１０００ａ  螺子部
１０００ｂ  螺子部
１０００ｃ  軸部
１００１  ナット
１１  スペーサ
１１００  底面
１１０１  上面
１１００ａ  右面
１１０１ａ  左面
１１０２  第６貫通孔
１２  スペーサ
１２００  底面
１２０１  上面
１２００ａ  右面
１２０１ａ  左面
１２０２  第６貫通孔
【図１−１】
2019023386.tif 000003
【図１−２】
2019023386.tif 000004
【図２】
2019023386.tif 000005
【図３−１】
2019023386.tif 000006
【図３−２】
2019023386.tif 000007
【図３−３】
2019023386.tif 000008
【図３−４】
2019023386.tif 000009
【図４】
2019023386.tif 000010
【図５−１】
2019023386.tif 000011
【図５−２】
2019023386.tif 000012
【図５−３】
2019023386.tif 000013
【図５−４】
2019023386.tif 000014
【図６】
2019023386.tif 000015